(57)【要約】【課題】  １８歳未満者などの遊技不適格者に対して、遊技禁止の旨などの注意を十分に促せる遊技機を提供する。【解決手段】  遊技画面を表示する表示手段４と、電源投入時またはデモ画面表示時に前記表示手段４に「１８歳未満の遊技お断り」等の標語１１を表示する標語掲載手段１２と、標語確認スイッチ１０と、標語１１が表示されている期間はゲーム不能状態に維持するゲーム不能状態維持手段１３と、前記標語確認スイッチ１０のＯＮ操作に基づいて前記標語１１を表示手段４から消失させると共にゲーム不能状態を解除してゲーム可能な状態となる標語消失手段１４とを備える。【選択図】  図２
2006130203.tif 000002
【特許請求の範囲】
【請求項１】
遊技画面を表示する表示手段と、電源投入時またはデモ画面表示時に前記表示手段に「１８歳未満の遊技お断り」等の標語を表示する標語掲載手段と、標語確認スイッチと、標語が表示されている期間はゲーム不能状態に維持するゲーム不能状態維持手段と、前記標語確認スイッチのＯＮ操作に基づいて前記標語を表示手段から消失させると共にゲーム不能状態を解除してゲーム可能な状態となる標語消失手段とを備えたことを特徴とする遊技機。
【請求項２】
遊技画面を表示する表示手段と、電源投入時またはデモ画面表示時に前記表示手段に「１８歳未満の遊技お断り」等の標語を表示する標語掲載手段と、標語確認スイッチと、前記標語確認スイッチのＯＮ操作に基づいて前記標語を表示手段から消失させる標語消失手段とを備えたことを特徴とする遊技機。
【請求項３】
遊技画面を表示する表示手段と、電源投入時またはデモ画面表示時に前記表示手段に「１８歳未満の遊技お断り」等の標語を表示する標語掲載手段と、前記表示手段に遊技画面が表示された後所定時間経過することで前記標語を表示手段から消失させる標語消失手段とを備えたことを特徴とする遊技機。
【請求項４】
遊技機がパチンコ、パチスロ、アレンジボールまたはじゃん球である請求項１から３のいずれかに記載の遊技機。
【発明の詳細な説明】
【技術分野】
【０００１】
本発明は、パチンコやパチスロなどの遊技機に関し、特に遊技画面を表示する表示手段を備えた遊技機に関するものである。
【背景技術】
【０００２】
従来より、パチンコやパチスロなどの遊技機を備えた遊技場では、１８歳未満の遊技禁止の呼びかけを行なっている。一般に、このような呼びかけは、「１８歳未満の遊技お断り」などの標語が記載された札を、遊技機本体枠などに貼付することによりなされ、これにより１８歳未満などの遊技不適格者に注意を促していた。また、他の方法として、特許文献１に記載されるように、遊技機外の表示装置や表示手段に前記標語などを表示することにより、遊技不適格者に注意を促していた。
【特許文献１】特開２０００−８４１９１号公報
【発明の開示】
【発明が解決しようとする課題】
【０００３】
しかしながら、従来の札や表示装置では、遊技者は遊技に熱中することで遊技機とは別体の札や表示装置からの注意メッセージに気付かないことが多く、１８歳未満であっても知らずに遊技してしまう等のことが起こりえるため、遊技場は遊技不適格者に対して十分に注意を促せないという問題点があった。
【０００４】
本発明は、上記問題点に鑑み、遊技不適格者に対して十分に注意を促すことのできる遊技機を提供することを目的とする。
【課題を解決するための手段】
【０００５】
本発明は上記目的を達成するための第１発明は、遊技画面を表示する表示手段と、電源投入時またはデモ画面表示時に前記表示手段に「１８歳未満の遊技お断り」等の標語を表示する標語掲載手段と、標語確認スイッチと、標語が表示されている期間はゲーム不能状態に維持するゲーム不能状態維持手段と、前記標語確認スイッチのＯＮ操作に基づいて前記標語を表示手段から消失させると共にゲーム不能状態を解除してゲーム可能な状態となる標語消失手段とを備えたことを特徴とする。
【０００６】
本第１発明によれば、遊技機は、電源投入時の初期状態において、ゲーム不能状態維持手段によりゲームができない状態にされており、また標語掲載手段により表示手段には「１８歳未満の遊技お断り」等の標語が表示されている。また、遊技を所定期間行なわないときに表示手段に表示されるデモ画面表示時においても同様にゲーム不能状態が維持され、表示手段に標語が表示されている。そして遊技者が遊技を行なう際には、標語確認スイッチをＯＮ操作し、標語消失手段が作動して、前記標語を表示手段から消失させ、ゲーム不能状態を解除してゲーム可能な状態とさせることにより、はじめて遊技が可能となる。つまり、遊技者がゲームを開始するためには、表示手段に表示されている標語を見たことを認証することができる標語認証スイッチを押さなければならないため、遊技不適格者に対して十分に注意を促すことができる。
【０００７】
また、第２発明は、遊技画面を表示する表示手段と、電源投入時またはデモ画面表示時に前記表示手段に「１８歳未満の遊技お断り」等の標語を表示する標語掲載手段と、標語確認スイッチと、前記標語確認スイッチのＯＮ操作に基づいて前記標語を表示手段から消失させる標語消失手段とを備えたことを特徴とする。
【０００８】
本第２発明によれば、遊技機は、電源投入時またはデモ画面表示時において、表示手段に標語が表示されている。また、遊技を開始することで表示手段に表示された遊技画面上には、標語確認スイッチをＯＮ操作しない限り、遊技画面上に重なるように標語が表示されている。そして遊技者が遊技を行なう際に、標語確認スイッチをＯＮ操作し、標語消失手段が作動して、前記標語を表示手段から消失させることにより、電源投入時、デモ画面表示時または遊技画面から標語が消え、遊技中に遊技画面と標語が重なってゲームしづらい等の支障のない円滑な遊技が可能となる。つまり、遊技者が遊技に支障のない円滑なゲームを行なうためには、表示手段に表示されている標語を見たことを認証することができる標語認証スイッチを押さなければならないため、遊技不適格者に対して十分に注意を促すことができる。
【０００９】
また、第３発明は、遊技画面を表示する表示手段と、電源投入時またはデモ画面表示時に前記表示手段に「１８歳未満の遊技お断り」等の標語を表示する標語掲載手段と、前記表示手段に遊技画面が表示された後所定時間経過することで前記標語を表示手段から消失させる標語消失手段とを備えたことを特徴とする。
【００１０】
本第３発明によれば、遊技機は、電源投入時、デモ画面表示時において、表示手段に標語が表示されている。また遊技を開始することにより遊技画面が表示された後の所定期間は、表示手段に標語が表示されている。そして遊技者は、ゲームを開始前とゲーム開始後、つまり表示手段にデモ画面が表示されている期間と、遊技画面が表示された後の所定期間は、表示手段に表示されている標語を見ることができるため、遊技不適格者に対して十分に注意を促すことができる。
【発明の効果】
【００１１】
本第１発明〜本第３発明によれば、１８歳未満者などの遊技不適格者に対して、遊技禁止の旨などの注意を十分に促せる遊技機を提供することができる。
【発明を実施するための最良の形態】
【００１２】
本発明に係る第１実施形態〜第３実施形態を図１〜図４に基づいて詳細に説明する。
【００１３】
以下に示す第１〜第３の各実施形態は、図１に示すようなパチスロ（遊技機）を構成するものであって、まず各実施形態に共通するパチスロ全体構成について説明する。
【００１４】
図１に示すように、パチスロ本体１の前面中央やや上方に、回胴体２が３体並列に回転自在に設けられており、これら回胴体２の各々の外周面には、各種の数字や図柄等が表示されている。またパチスロ本体１の前面上方に、表示ランプ３が複数設けられている。そして、回胴体２と表示ランプ３の間には、遊技中のゲームの演出をする遊技画面や、電源投入時に表示される初期画面や、一定期間遊技をしなかったときに表れるデモ画面を表示する表示手段４が設けられている。本実施形態の表示手段４は、液晶画面により構成されているが、ドットマトリックス、ブラウン管、プラズマにより構成してもよい。また、図１に示す５はメダルの投入口を示し、６はベットボタンを示し、７は回胴体２を回転させるためのスタートレバーを示し、８は回胴体２を停止させるための停止ボタンを示し、９はメダル受け皿を示している。そして、パチスロ本体１の前面中央やや左方に、下記に示す第１実施形態および第２実施形態において用いられる標語認証スイッチ１０が設けられている。
【００１５】
以下に、第１発明に係る第１実施形態を図２に基づき、第２発明に係る第２実施形態を図３に基づき、第３発明に係る第３実施形態を図４に基づいて説明する。
【００１６】
（第１実施形態）
第１実施形態のパチスロは、図１および図２に示すように、遊技画面を表示する表示手段４と、電源投入時またはデモ画面表示時に前記表示手段４に「１８歳未満の遊技お断り」等の標語１１を表示する標語掲載手段１２と、標語確認スイッチ１０と、標語１１が表示されている期間はゲーム不能状態に維持するゲーム不能状態維持手段１３と、前記標語確認スイッチ１０のＯＮ操作に基づいて前記標語１１を表示手段４から消失させると共にゲーム不能状態を解除してゲーム可能な状態となる標語消失手段１４とを備えた構成をしている。なお、前記標語掲載手段１２、前記ゲーム不能状態維持手段１３、前記標語消失手段１４は、パチスロ本体１の内部に備えられた制御手段１５に設けられている。
【００１７】
前記標語掲載手段１２は、遊技者がパチスロ遊技を所定期間行なわないときに表示手段４に表示されるデモ画面表示時や、電源投入時に表示手段４に表示される初期画面（デモ画面）時において、表示手段４にデモ画面に重なるように標語１１を表示するものである。なお前記標語１１は、１８歳未満者などの遊技不適格者に対して注意を促すための、文字・記号等であり、例えば、「１８歳未満の遊技お断り」や「１８歳未満禁止」等が挙げられる。そして、表示手段４のデモ画面への画面切替は制御手段１５が制御しており、電源投入時或いはパチスロ遊技を所定期間行なわないときに行なわれる。また標語掲載手段１２は、制御手段１５によるデモ画面切替制御に基づいて作動する。
【００１８】
前記ゲーム不能状態維持手段１３は、表示手段４に標語１１が表示されると、ゲーム不能状態にするとともにその状態を維持するものである。ゲーム不能状態の具体例としては、メダル投入口５からメダルを投入しても、そのメダルはメダル受け皿９に落ちるようにして、パチスロがメダルを受付けない状態にすることにより、ゲーム不能状態としたり、また他例としては、パチスロはメダルを受付けるがスタートレバー７を操作しても回胴体２が作動しない状態にすることで、ゲーム不能状態となるようにしてもよい。なお、遊技機がパチンコやアレンジボールまたはじゃん球の場合においては、パチンコ球を弾く球発射装置を操作してもパチンコ球が発射しない状態にすることで、ゲーム不能状態となるようにしてもよい。
【００１９】
なお、表示手段４のデモ画面から遊技画面への画面切替は、上記のようなゲーム不能状態が解除されたときに制御手段１５により行なわれる。そして、ゲーム不能状態維持手段１３は、標語掲載手段１２が作動すると作動する。
【００２０】
前記標語消失手段１４は、標語確認スイッチ１０がＯＮ操作されることによって、表示手段４から標語１１を消失させるとともにゲーム不能状態を解除してゲーム可能な状態にするものである。この標語消失手段１４は、標語確認スイッチ１０のＯＮ操作に基づいて作動し、前記標語掲載手段１２および前記ゲーム不能状態維持手段１３の作動を停止させる。また標語消失手段１４は自らの仕事を達成すると作動を停止する。
【００２１】
このような第１実施形態のパチスロは、電源投入時の初期状態において、ゲーム不能状態維持手段１３によりゲームができない状態にされており、また標語掲載手段１２により表示手段４には「１８歳未満の遊技お断り」等の標語１１が表示されている。また、遊技を所定期間行なわないときに表示手段４に表示されるデモ画面表示時においても同様にゲーム不能状態が維持され、表示手段４に標語１１が表示されている。そして遊技者が遊技を行なう際には、標語確認スイッチ１０をＯＮ操作し、標語消失手段１４が作動して、前記標語１１を表示手段４から消失させ、ゲーム不能状態を解除してゲーム可能な状態とさせることにより、はじめて遊技が可能となる。つまり、遊技者がゲームを開始するためには、表示手段４に表示されている標語１１を見たことを認証することができる標語認証スイッチ１０を押さなければならないため、遊技不適格者に対して十分に注意を促すことができる。
【００２２】
（第２実施形態）
第２実施形態のパチスロは、図１および図３に示すように、遊技画面を表示する表示手段４と、電源投入時またはデモ画面表示時に前記表示手段４に「１８歳未満の遊技お断り」等の標語１１を表示する標語掲載手段１２と、標語確認スイッチ１０と、前記標語確認スイッチ１０のＯＮ操作に基づいて前記標語１１を表示手段から消失させる標語消失手段１４とを備えた構成をしている。
【００２３】
なお上記第１実施形態の構成と共通する構成およびその動作の説明は省略し、異なる点のみを説明すると、ゲーム不能状態維持手段１３が存在しない点と、標語消失手段１４は、標語確認スイッチ１０のＯＮ操作に基づいて作動し、前記標語掲載手段１２の作動を停止させる点である。
【００２４】
つまり、第２実施形態のパチスロは、ゲーム不能状態維持手段１３が存在しないことにより、標語確認スイッチ１０のＯＮ操作をしなくてもゲームを開始することができるが、表示手段４に標語１１は残ってしまう。このため表示手段４に表示された遊技画面には、これと重なるように標語１１が表示されているため、遊技画面が見辛くパチスロを遊技するにあたって支障があり、円滑なゲームができない。しかし、表示手段４の標語１１を消失させる標語消失手段１４を標語確認スイッチ１０のＯＮ操作により作動させることで、表示手段４から標語１１を消失させて円滑なゲームができるようになる。
【００２５】
このような第２実施形態のパチスロは、電源投入時またはデモ画面表示時において、表示手段４に標語１１が表示されている。また、遊技を開始することで表示手段４に表示された遊技画面上には、標語確認スイッチ１０をＯＮ操作しない限り、遊技画面上に重なるように標語１１が表示されている。そして遊技者が遊技を行なう際に、標語確認スイッチ１０をＯＮ操作し、標語消失手段１４が作動して、前記標語１１を表示手段４から消失させることにより、電源投入時、デモ画面表示時または遊技画面から標語１１が消え、遊技中に遊技画面と標語１１が重なってゲームしづらい等の支障のない円滑な遊技が可能となる。つまり、遊技者が遊技に支障のない円滑なゲームを行なうためには、表示手段４に表示されている標語１１を見たことを認証することができる標語認証スイッチ１０を押さなければならないため、遊技不適格者に対して十分に注意を促すことができる。
【００２６】
（第３実施形態）
第３実施形態のパチスロは、図１および図４に示すように、遊技画面を表示する表示手段４と、電源投入時またはデモ画面表示時に前記表示手段４に「１８歳未満の遊技お断り」等の標語１１を表示する標語掲載手段１２と、前記表示手段４に遊技画面が表示された後所定時間経過することで前記標語１１を表示手段４から消失させる標語消失手段１４とを備えた構成をしている。
【００２７】
なお上記第２実施形態の構成と共通する構成およびその動作の説明は省略し、異なる点のみを説明すると、標語確認スイッチが存在しない点と、標語消失手段１４は、表示手段４に遊技画面が表示された後所定時間経過することで標語１１を表示手段４から消失させるものであって、標語消失手段１４は、標語掲載手段１２の作動に基づいて作動する点である。
【００２８】
そして、このような第３実施形態のパチスロは、電源投入時、デモ画面表示時において、表示手段４に標語１１が表示されている。また遊技を開始することにより遊技画面が表示された後の所定期間は、表示手段４に標語１１が表示されている。そして遊技者は、ゲームを開始前とゲーム開始後、つまり表示手段４にデモ画面が表示されている期間と、遊技画面が表示された後の所定期間は、表示手段１１に表示されている標語１１を見ることができるため、遊技不適格者に対して十分に注意を促すことができる。
【００２９】
なお、上述した第１実施形態から第３実施形態の遊技機は、パチスロについて説明したが、パチンコ、アレンジボールまたはじゃん球であっても良い。
【００３０】
また、上記実施形態における標語１１は、１８歳未満者などの遊技不適格者に対する注意を促すものであったが、この他種々のものが考えられ、遊技場等が遊技者に対して呼びかけ・訴えたいものであれば何でもよい。
【００３１】
例えば、
１．法律で規制されていること
「２０歳未満は喫煙禁止」、「法定速度を守りましょう」等
２．不正行為禁止の呼びかけ
「ゴト行為は犯罪です」等
３．遊技場のＰＲや広告
「○曜日は定休日です」、「○月○日新台入荷」等
４．企業のＰＲや広告
「Ａ社は未来の遊びをクリエイトします」、「○○コーヒー今だけ１００円」等
５．その他
「戸締り用心」、「火の用心」等
が考えられる。
【産業上の利用可能性】
【００３２】
本発明は、広く普及したパチンコやパチスロなどの遊技機に関するものであって、産業上の利用性を満足するのは勿論、遊技不適格者に注意を促すことのできる表示手段を備えた遊技機を提供できる。
【図面の簡単な説明】
【００３３】
【図１】本発明の第１実施形態から第３実施形態に係る遊技機の全体構成を示す正面図である。
【図２】本発明の第１実施形態に係る遊技機の構成を示す概念図である。
【図３】本発明の第２実施形態に係る遊技機の構成を示す概念図である。
【図４】本発明の第３実施形態に係る遊技機の構成を示す概念図である。
【符号の説明】
【００３４】
４    表示手段
１０  標語認証スイッチ
１１  標語
１２  標語掲載手段
１３  ゲーム不能状態維持手段
１４  標語消失手段
【図１】
2006130203.tif 000003
【図２】
2006130203.tif 000004
【図３】
2006130203.tif 000005
【図４】
2006130203.tif 000006